(57)【特許請求の範囲】
【請求項１】
（ａ）下記一般式（１）〜（３）で表される化合物から選ばれる１種以上のカチオン系抗菌剤０．１〜１０重量％、（ｂ）アルキルベンゼンスルホン酸塩、アルキル硫酸エステル塩、ポリオキシアルキレンアルキルエーテル硫酸塩及びアルファスルホ脂肪酸アルキルエステル塩から選ばれる１種以上の陰イオン界面活性剤、（ｃ）両性界面活性剤、アミンオキサイド系界面活性剤、アルカノールアミド系界面活性剤及びアミドアミノ酸系界面活性剤から選ばれる１種以上０．１〜１０重量％を含有し、前記（ａ）成分と（ｂ）成分の比率がモル比で（ａ）／（ｂ）＝２〜１０である、液体洗浄剤組成物。
【化１】
0004267156.tif 000012
〔式中Ｒ１及びＲ６は炭素数５〜１９のアルキル基又はアルケニル基であり、Ｒ２、Ｒ３は炭素数１〜３のアルキル基又はヒドロキシアルキル基である。Ｘは−ＣＯＯ−、−ＯＣＯ−、−ＣＯＮＨ−、−ＮＨＣＯ−又は、
【化２】
0004267156.tif 000013
である。Ｒ４は炭素数１〜３のアルキレン基であり、Ｒ５は炭素数１〜６のアルキレン基又は−（Ｏ−Ｒ７）ｎ−である。ここでＲ７はエチレン基もしくはプロピレン基であり、ｎは１〜１０の数である。ｍは０又は１である。さらにＹ−は陰イオン基である。〕
【化３】
0004267156.tif 000014
〔式中、Ｒ８〜Ｒ１１の中で２つ以上は炭素数８〜１４のアルキル基であり、それ以外は炭素数１〜３のアルキル基又はヒドロキシアルキル基である。Ｙ−は陰イオン基である。〕
【請求項２】
（ｃ）成分が両性界面活性剤である請求項１記載の液体洗浄剤組成物。
【請求項３】
非イオン界面活性剤を１０〜５０重量％含有する請求項１又は２記載の液体洗浄剤組成物。
【請求項４】
アルカリ剤を０．０１〜１０重量％含有する請求項１〜３の何れか１項記載の液体洗浄剤組成物。
【請求項５】
アルカリ剤の量が、液体洗浄剤組成物のｐＨを７．５〜１１（２０℃）にするために必要な量である請求項４記載の液体洗浄剤組成物。
【発明の詳細な説明】
【０００１】
【発明の属する技術分野】
本発明は、液体洗浄剤組成物に関する。
【０００２】
【従来の技術及び発明が解決しようとする課題】
衛生や防臭の観点から殺菌効果を液体洗浄剤に配合する試みがなされている。特開平１−１９７５９８号公報には水溶性４級アンモニウム塩を含有する貯蔵安定性に優れる組成物が開示されている。また、特開平６−１２２８９３号公報にはＥＤＴＡ等のキレート剤と水溶性４級アンモニウム塩を配合された殺菌効果及び柔軟効果に優れる組成物が開示されている。
【０００３】
しかしながら、これらの組成物はカチオン性化合物を液体洗浄剤に配合することによる汚れの再付着が起こり、洗浄効果が低下するという問題が有る。また、抗菌効果も十分満足できるレベルではなかった。
【０００４】
従って本発明の課題は、高い抗菌効果と再汚染防止による洗浄効果の両者を満足する液体洗浄剤を提供することにある。
【０００５】
【課題を解決するための手段】
本発明は、（ａ）カチオン系抗菌剤０．１〜１０重量％、（ｂ）アルキルベンゼンスルホン酸塩、アルキル硫酸エステル塩、ポリオキシアルキレンアルキルエーテル硫酸塩及びアルファスルホ脂肪酸アルキルエステル塩から選ばれる１種以上の陰イオン界面活性剤、（ｃ）両性界面活性剤、アミンオキサイド系界面活性剤、アルカノールアミド系界面活性剤及びアミドアミノ酸系界面活性剤から選ばれる１種以上０．１〜１０重量％を含有する液体洗浄剤組成物に関する。
【０００６】
【発明の実施の形態】
（ａ）成分
本発明における（ａ）成分のカチオン系抗菌剤は、水溶性のものが好ましく、通常市販されているものを使用してもよく、また周知の方法で合成されたものを用いることができる。ここで、本発明における水溶性とは、２０℃の水への溶解度が１ｇ／１００ｇ以上、好ましくは２ｇ／１００ｇ以上であることをいう。更に抗菌剤としては、木綿金巾＃２００３に該化合物１重量％を均一に付着させた布を用いＪＩＳ  Ｌ  １９０２「繊維製品の抗菌性試験法」に準じた方法で抗菌性試験を行い阻止帯が見られる化合物が好ましい。
【０００７】
本発明の（ａ）成分としては、一般式（１）〜（３）で表される化合物から選ばれる１種以上が好ましい。
【０００８】
【化４】
0004267156.tif 000002
【０００９】
〔式中Ｒ1及びＲ6は炭素数５〜１９のアルキル基又はアルケニル基であり、Ｒ2、Ｒ3は炭素数１〜３のアルキル基又はヒドロキシアルキル基である。Ｘは−ＣＯＯ−、−ＯＣＯ−、−ＣＯＮＨ−、−ＮＨＣＯ−又は、
【００１０】
【化５】
0004267156.tif 000003
【００１１】
である。Ｒ4は炭素数１〜３のアルキレン基であり、Ｒ5は炭素数１〜６のアルキレン基又は−(Ｏ−Ｒ7)n−である。ここでＲ7はエチレン基もしくはプロピレン基であり、ｎは１〜１０の数である。ｍは０又は１である。さらにＹ-は陰イオン基、好ましくはハロゲンイオン、炭素数１〜３のアルキル硫酸イオン又は脂肪酸イオンである。〕
【００１２】
【化６】
0004267156.tif 000004
【００１３】
〔式中、Ｒ8〜Ｒ11の中で２つ以上は炭素数８〜１４のアルキル基であり、それ以外は炭素数１〜３のアルキル基又はヒドロキシアルキル基である。Ｙ-は陰イオン基、好ましくはハロゲンイオン、炭素数１〜３のアルキル硫酸イオン又は脂肪酸イオンである。〕。
【００１４】
一般式（１）において、▲１▼Ｘがパラフェニレン基（−Ｃ6Ｈ4−）でｍ＝１の場合、Ｒ1は好ましくは炭素数５〜１６、更に好ましくは炭素数６〜１３、最も好ましくは炭素数７〜１０のアルキル基であり、Ｒ5は好ましくは−(Ｏ−Ｒ7)n−基であり、Ｒ7は好ましくはエチレン基であり、ｎは好ましくは１〜５の数であり、Ｒ2及びＲ3は好ましくはメチル基又はヒドロキシエチル基であり、Ｒ4は好ましくはメチレン基である。また、一般式（１）において、▲２▼ｍ＝０の場合（１−２−ａ）あるいは▲３▼Ｘが−ＣＯＯ−、−ＯＣＯ−、−ＣＯＮＨ−、−ＮＨＣＯ−でｍ＝１の場合（１−２−ｂ）、Ｒ1は好ましくは炭素数７〜１８、更に好ましくは炭素数９〜１７、最も好ましくは炭素数１１〜１６のアルキル基であり、Ｒ5は好ましくはメチレン基であり、Ｒ2及びＲ3は好ましくはメチル基又はヒドロキシエチル基であり、Ｒ4は好ましくはメチレン基である。
【００１５】
一般式（２）において、Ｒ6は好ましくは炭素数８〜１８、更に好ましくは炭素数１１〜１７のアルキル基である。
【００１６】
一般式（３）において、好ましくはＲ8〜Ｒ11のうち２つが炭素数８〜１０のアルキル基であり、残りの２つがメチル基、エチル基又はヒドロキシエチル基である。
【００１７】
本発明では、一般式（１）の化合物が殺菌効果の点で好ましい。
【００１８】
本発明では、一般式（３）の化合物を単独でも使用できるが、一般式（１）及び／又は一般式（２）の化合物と併用することが効果の点で好ましく、重量比は〔一般式（３）の化合物〕／〔一般式（１）の化合物＋一般式（２）の化合物〕＝１／１０〜１０／１、特に１／５〜５／１が好ましい。
【００１９】
本発明の液体洗浄剤組成物は、（ａ）成分を０．１〜１０重量％、好ましくは０．５〜７重量％、更に好ましくは１〜５重量％含有する。
【００２０】
（ｂ）成分
本発明の（ｂ）成分は、アルキル（炭素数１０〜１８が好ましい。）ベンゼンスルホン酸塩、アルキル（炭素数１０〜１８が好ましい。）硫酸エステル塩、ポリオキシアルキレン（アルキレンオキシド平均付加モル数５〜２０が好ましい。）アルキル（炭素数１０〜１８が好ましい。）エーテル硫酸塩及びアルファスルホ脂肪酸アルキル（好ましくはメチル）エステル塩から選ばれる陰イオン界面活性剤であり、対イオンとしてはナトリウム、カリウム等のアルカリ金属以外に、マグネシウム等のアルカリ土類金属及び／又はモノ、ジ、トリエタノールアミン等のアルカノールアミン等を使用するが、特にアルカノールアミンを用いることで液安定性が向上することから好適である。
【００２１】
陰イオン界面活性剤のうち、▲１▼アルキルベンゼンスルホン酸塩としては、例えば花王（株）製のネオペレックスＦ２５又はネオペレックスＦ６５、Ｓｈｅｌｌ社製のＤｏｂｓ１０２等を用いることができる。また、工業的には、洗剤用原料として広く流通しているアルキルベンゼンをクロルスルホン酸、亜硫酸ガス等の酸化剤を用いてスルホン化してアルキルベンゼンスルホン酸とし、組成物中で中和しながら添加しても良い。アルキル基の平均炭素数は１０〜１４が好ましい。また、▲２▼アルキル硫酸エステル塩としては、例えば花王（株）製のアルキル鎖の炭素数が１２のアルキル硫酸エステル塩であるエマールＴＤ（液状）を組成物に添加しても良いし、同じく花王（株）製のエマール１０パウダー（粉末）をそのまま、又は予備溶解槽で溶解させ組成物に添加しても良い。工業的には天然アルコール及び／又はオキソ法で合成されたアルコールを例えば希釈亜硫酸ガスを用い、連続薄膜式硫酸化反応機で硫酸化を行い、反応物をＮａＯＨ、モノエタノールアミン等のアルカリ水溶液中で中和することによって合成されたものを用いても良い。アルキル基の平均炭素数は１０〜１４が好ましい。▲３▼ポリオキシアルキレンアルキルエーテル硫酸塩としては、例えば花王（株）製のエマールＥ−２７ＣやエマールＥ−７０Ｃをそのまま組成物に添加しても良いし、工業的には平均炭素数１０〜１８の直鎖もしくは分岐鎖１級アルコール又は直鎖２級アルコールに、エチレンオキサイドを１分子当たり平均０．５〜５モル付加させ、これを例えば特開平９−１３７１８８号記載の方法を用いて硫酸化して得たものを用いても良い。アルキル基の平均炭素数は１０〜１４が好ましい。▲４▼アルファスルホ脂肪酸アルキルエステル塩は、炭素数１０〜１８、好ましくは１０〜１４の脂肪酸のアルキルエステルを通常の硫酸化、例えば希釈亜硫酸ガスを用いて連続薄膜式硫酸化反応器で硫酸化する方法や、ジクロロエタン等の溶媒を用いてクロルスルホン酸等で硫酸化する方法により得ることができる。硫酸化反応物はＮａＯＨ等のアルカリ剤で中和される。本発明では、特に▲１▼のアルキルベンゼンスルホン酸塩あるいは▲３▼のポリオキシアルキレンアルキルエーテル硫酸塩が抗菌効果の点で好ましい。  前記（ａ）成分と（ｂ）成分の比率は、抗菌効果及び再汚染防止効果の点で、モル比で（ａ）／（ｂ）＝２〜１０、好ましくは２〜９である。また、本発明の液体洗浄剤組成物は、（ｂ）成分を０．１〜１０重量％、更に０．１〜８重量％、特に０．２〜５重量％含有することが好ましい。
【００２２】
（ｃ）成分
本発明の（ｃ）成分は、両性界面活性剤、アミンオキサイド系界面活性剤、アルカノールアミド系界面活性剤及びアミドアミノ酸系界面活性剤から選ばれる１種以上である。
【００２３】
両性界面活性剤としては、下記一般式（４）で表されるベタイン型両イオン性界面活性剤が挙げられる。
【００２４】
【化７】
0004267156.tif 000005
【００２５】
〔式中、Ｒ12は炭素数７〜２２のアルキル基又はアルケニル基、ａは１〜４の整数、ｂは０又は１の数、Ｒ13及びＲ14はそれぞれ炭素数１〜４のアルキル基又は−(ＣＨ2ＣＨ2Ｏ)dＨ（ｄは平均で１〜３の整数）、Ｒ15は−ＣＨ2ＣＨ(ＯＨ)ＣＨ2ＳＯ3-、−(ＣＨ2)eＳＯ3-又は−(ＣＨ2)fＣＯＯ-（ｅは２〜５の整数、ｆは１〜３の整数）を示す。〕
これらのうち、下記一般式（５）で表されるカルボベタイン型界面活性剤が最も好ましい。
【００２６】
【化８】
0004267156.tif 000006
【００２７】
〔式中、Ｒ16は炭素数８〜２０のアルキル基、アルケニル基又はＲ17−ＣＯＮＨ(ＣＨ2)h−（Ｒ17は炭素数７〜１９のアルキル基又はアルケニル基、ｈは１〜５の整数）で表される基、ｇは１〜５の整数を示す。〕
更に一般式（５）中のＲ16としては、炭素数８〜１６のアルキル基もしくはアルケニル基又はＲ17−ＣＯＮＨ(ＣＨ2)3（Ｒ17は炭素数７〜１５のアルキル基又はアルケニル基）が好ましく、ｇ＝１が好ましい。
【００２８】
また、アミンオキサイド系界面活性剤としては、下記一般式（６）で表される化合物が挙げられる。
【００２９】
【化９】
0004267156.tif 000007
【００３０】
〔式中、Ｒ18は炭素数７〜１８のアルキル基又はアルケニル基、Ｒ19及びＲ20はそれぞれメチル基、エチル基又はヒドロキシエチル基、ｉは０又は１、ｊは０〜３の整数を示す。〕
中でも、一般式（６）中のＲ19及びＲ20が共にメチル基、ｉ＝０、ｊ＝０の化合物が好ましい。
【００３１】
アルカノールアミド系界面活性剤としては、下記一般式（７）で表される化合物が挙げられる。
【００３２】
【化１０】
0004267156.tif 000008
【００３３】
〔式中、Ｒ21は炭素数７〜１９のアルキル基又はアルケニル基、ｋ及びｌはそれぞれ０〜１０の整数を示し、ｋ＋ｌ≧１である。〕
中でも、一般式（７）中のＲ21が炭素数７〜１５のアルキル基又はアルケニル基、ｋ＋ｌ＝１〜５、特に１又は２の化合物が好ましい。
【００３４】
アミドアミノ酸系界面活性剤としては、下記一般式（８）で表される化合物が挙げられる。
【００３５】
【化１１】
0004267156.tif 000009
【００３６】
〔式中、Ｒ22は炭素数７〜１９のアルキル基又はアルケニル基、ｍは２〜４の整数、Ｇは−ＣＨ2ＣＨ(ＯＨ)ＣＨ2ＳＯ3-、−(ＣＨ2)pＳＯ3-又は−(ＣＨ2)qＣＯＯ-（ｐは２〜５の整数、ｑは１〜３の整数）、Ｍは水素原子、アルカリ金属、アルカリ土類金属、アンモニウム、有機アンモニウム又はこれらの混合物を示す。〕
ここで、Ｍの具体例としては、水素、リチウム、ナトリウム、カリウム、１／２カルシウム、１／２マグネシウム、アンモニウム、モノ、ジ又はトリエタノールアンモニウム、モノ、ジ又はトリイソプロパノールアンモニウム等が挙げられる。
【００３７】
本発明の（ｃ）成分としては、洗浄効果の点から一般式（５）のカルボベタイン型両性活性剤が最も好ましい。
【００３８】
本発明の液体洗浄剤組成物は、（ｃ）成分を、洗浄性、殺菌・抗菌効果及び刺激性の観点から、０．１〜１０重量％、好ましくは０．５〜７重量％、更に好ましくは１〜５重量％含有する。前記（ａ）成分と（ｃ）成分の比率は、再汚染防止効果の点で、モル比で（ａ）／（ｃ）＝０．５〜１０、更に１〜８、特に２〜６が好ましい。
【００３９】
本発明の液体洗浄剤組成物には、界面活性剤として、洗浄性を向上させる点から非イオン界面活性剤を配合することが好ましい。非イオン界面活性剤としては、下記（ｉ）〜（iv）のようなものが使用できる。
（ｉ）平均炭素数が８〜２０の直鎖１級アルコール又は直鎖２級アルコール由来のアルキル基又は分岐鎖アルコール由来のアルキル基又はアルケニル基を有し、エチレンオキサイド（以下ＥＯ）を平均で１〜２０モルを付加したポリオキシエチレンアルキル又はアルケニルエーテル。
（ii）平均炭素数が８〜２０のアルキル基又はアルケニル基を有し、ＥＯを平均で１〜１５モル及びプロピレンオキサイド（以下ＰＯ）を平均で１〜５モル付加したポリオキシアルキレンアルキル又はアルケニルエーテル。この場合ＥＯ及びＰＯはランダム付加でもブロック付加でもいずれでもよい。
（iii）下記一般式（９）で表されるアルキル多糖界面活性剤。
Ｒ23−(ＯＲ24)xＷy          （９）
〔式中、Ｒ23は炭素数８〜１８のアルキル基もしくはアルケニル基、又はアルキルフェニル基、Ｒ24は炭素数２〜４のアルケニル基、Ｗは炭素数５又は６の還元糖に由来する残基、ｘは平均値０〜６の数、ｙは平均値１〜１０の数を示す。〕
（iv）脂肪酸アルカノールアミド、ポリヒドロキシ脂肪酸アミド。
【００４０】
これらの中で特に（ｉ）又は（ii）が好ましく、（ii）の非イオン界面活性剤の中では、下記一般式（１０）で示される非イオン界面活性剤を用いることで、特にエリ・そで口汚れに対する高洗浄力を得ることができる。
Ｒ25Ｏ(ＥＯ)r(ＰＯ)s(ＥＯ)tＨ    （１０）
〔式中、Ｒ25は炭素数８〜２０の直鎖のアルキル基又はアルケニル基である。ＥＯはオキシエチレン基、ＰＯはオキシプロピレン基を示す。ｒ、ｓ及びｔは平均付加モル数を表しｒ＞０、ｓ＝１〜４、ｔ＞０、ｒ＋ｓ＋ｔ＝６〜１４、ｒ＋ｔ＝５〜１２である。好ましくはｒ＋ｓ＋ｔ＝７〜１４、ｒ＋ｔ＝６〜１２、ｓ＝１〜２である。〕
一般式（１０）の非イオン界面活性剤は、周知の方法で合成された、もしくは天然油脂から誘導されたＲ25のアルキル基を有するアルコールにＥＯ、ＰＯの順序で付加した後、再度ＥＯを付加することで合成される。
【００４１】
本発明の液体洗浄剤組成物は、非イオン界面活性剤を１０〜５０重量％、更に１０〜４５重量％、特に１５〜４０重量％含有することが好ましい。
【００４２】
また本発明の液体洗浄剤組成物は、牛脂やヤシ由来の脂肪酸塩を０．１〜１０重量％、更に０．１〜５重量％、特に０．５〜２重量％含有することが好ましい。
【００４３】
更に本発明の洗浄剤組成物には、アルカリ金属の水酸化物、ケイ酸塩、炭酸ナトリウム等の炭酸塩、及びアルカノールアミン等のアルカリ剤０．０１〜１０重量％（特に液体洗浄剤組成物のｐＨを７．５〜１１（２０℃）にするために必要な量を配合することが好ましい。）；エタノール等のアルコール類、エチレングリコール及びプロピレングリコール等のグリコール類、分子量２００以上〜数千位の低分子量のポリエチレングリコール及びポリプロピレングリコールなどのポリアルキレングリコール類、パラトルエンスルホン酸、安息香酸塩（防腐剤としての効果もある）並びに尿素等の減粘剤及び可溶化剤０．０１〜３０重量％；ポリオキシアルキレンベンジルエーテル、ポリオキシアルキレンフェニルエーテル等の相調整剤及び洗浄力向上剤０．０１〜１０重量％；ニトリロ三酢酸塩、エチレンジアミン四酢酸塩、イミノ二酢酸塩、ジエチレントリアミン五酢酸塩、グリコールエーテルジアミン四酢酸塩、ヒドロキシエチルイミノ二酢酸塩及びトリエチレンテトラミン六酢酸塩等のアミノポリ酢酸塩、マロン酸、コハク酸、ジグリコール酸、リンゴ酸、酒石酸及びクエン酸等の塩等の金属イオン捕捉剤０．１〜２０重量％；ポリアクリル酸塩、ポリマレイン酸塩、カルボキシメチルセルロース、平均分子量５０００以上のポリエチレングリコール、アクリル酸−マレイン酸共重合体若しくはその塩、無水マレイン酸−ジイソブチレン共重合体若しくはその塩、無水マレイン酸−メチルビニルエーテル共重合体若しくはその塩、無水マレイン酸−イソブチレン共重合体若しくはその塩、無水マレイン酸―酢酸ビニル共重合体若しくはその塩、ナフタレンスルホン酸塩ホルマリン縮合物、及び特開昭５９−６２６１４号公報の請求項１〜２１（１頁３欄５行〜３頁４欄１４行）記載のポリマー等の再汚染防止剤及び分散剤０．０１〜１０重量％；ポリビニルピロリドン等の色移り防止剤０．０１〜１０重量％；過炭酸ナトリウム又は過硼酸ナトリウム等の漂白剤０．０１〜１０重量％；テトラアセチルエチレンジアミン、特開平６−３１６７００号の一般式（Ｉ−２）〜（Ｉ−７）で示される漂白活性化剤等の漂白活性化剤０．０１〜１０重量％；アミラーゼ、プロテアーゼ、リパーゼ及びセルラーゼ等の酵素０．００１〜２重量％；塩化カルシウム、硫酸カルシウム、ギ酸、ホウ酸（ホウ素化合物）等の酵素安定化剤０．００１〜２重量％；チノパールＣＢＳ（チバスペシャリティケミカルス社製）やホワイテックスＳＡ（住友化学社製）等の蛍光染料０．００１〜１重量％；特開平１０−６０４８０号公報の請求項１記載のシリコーン等の柔軟基剤を０．１〜２重量％；シリカ等の消泡剤０．０１〜２重量％；ブチルヒドロキシトルエン、ジスチレン化クレゾール、亜硫酸ナトリウム及び亜硫酸水素ナトリウム等の酸化防止剤０．０１〜２重量％；青味付け剤；香料；抗菌防腐剤等を配合することができる。
【００４４】
本発明の組成物は上記（ａ）、（ｂ）及び（ｃ）成分と任意成分と残部の水とからなる。
【００４５】
【発明の効果】
本発明の液体洗浄剤組成物は、殺菌・抗菌性に優れ、液体安定性が良好であり、かつ汚れ再付着防止性に優れる。
【００４６】
【実施例】
表１に示す液体洗浄剤組成物を調製し、得られた組成物を用いて下記のように殺菌性、汚れ再付着防止性及び液安定性の評価を行った。その結果を表１に示す。
【００４７】
〔殺菌性の評価〕
ＳＣＤＬＰ培地に前培養した菌（Ｓｔａｐｈｙｌｏｃｏｃｃｕｓ  ａｕｒｅｕｓ  ＩＦＯ１２７３２）を滅菌蒸留水に懸濁し、約１０7〜１０8Ｃｅｌｌｓ／ｍＬを０．１ｍＬ採取し、滅菌蒸留水で所定の濃度（抗菌剤濃度１、５、１０、２５、５０、７５、１００、２００、３００、５００ｐｐｍ）に希釈した液１０ｍＬに接種し、室温にて作用させた。一定時間（５、１０、１５、３０分）毎に菌接触液を一白金耳量採取し、後培養用のＳＣＤＬＰ培地０．３ｍＬの入ったミクロシャーレ（ＣＯＲＮＩＮＧ社製、９６−Ｃｅｌｌｓ  Ｗｅｌｌｓ）へ接種した〔各洗浄剤組成物について希釈率１０種（濃度）×菌接触時間４種（時間）＝４０カ所〕。３７℃２日間培養し、菌の発育を肉眼で観察し、効果の強度を殺菌エリア数で判定した。すなわち、ミクロプランター上で菌の生育していない箇所を測定することで判定した(最大４０)。
【００４８】
〔汚れ再付着防止性の評価〕
処理法
木綿の白布（金巾２００３布）を１０ｃｍ×１０ｃｍに裁断し、５枚１組とした。評価用洗剤水溶液１Ｌにカーボンブラック０．２５ｇを加え、ターゴトメーターにて洗浄（洗浄時間１０分、液体洗剤濃度０．０７％、硬度７１．２ｍｇＣａＣＯ３／Ｌ、水温２０℃）した後、２０℃水道水にて５分間流水すすぎを行った。
再汚染防止率
洗浄前の原布（白布）及び試験後の汚染布の４６０ｎｍにおける反射率を日本電色工業（株）３００Ａにて測定し、次式によって再汚染防止率を求める。
再汚染防止率（％）＝１００−〔（原布の反射率−試験後の反射率）／原布の反射率〕×１００
評価法
上記式にて得られた再汚染防止率より、汚れ再付着防止性を下記のごとく評価した。
◎；再汚染防止率が５０％以上である。
○；再汚染防止率が４０％以上５０％未満である。
△；再汚染防止率が３０％以上４０％未満である。
×；再汚染防止率が３０％未満である。
【００４９】
〔液安定性の評価〕
５０ｍＬのサンプルビン（Ｎｏ．６広口規格ビン、ガラス製、直径４０ｍｍ、高さ８０ｍｍの円筒形）に、表１の液体洗浄剤組成物を４０ｍＬ充填し、蓋をした後、２５℃の恒温室で３０日間静置した。液体の安定性は目視で外観を下記の基準で判定した。
◎；均一液体相であり、液安定性に優れる。
×；分離又は析出が認められる。
【００５０】
【表１】
0004267156.tif 000010
【００５１】
（注）表１中の成分を下記に示す。
・化合物ａ：一般式（１）のＲ1が炭素数１１〜１５のアルキル基（平均炭素数１２．０）、Ｒ2、Ｒ3がメチル基、ｍが０、Ｒ4、Ｒ5がメチレン基、Ｙ-が塩化物イオンである化合物
・化合物ｂ：一般式（１）のＲ1が１，１，３，３−テトラメチルブチル基、Ｒ2、Ｒ3がメチル基、Ｘが
【００５２】
【化１２】
0004267156.tif 000011
【００５３】
で、ｍが１、Ｒ4がメチレン基、Ｒ5が−(ＯＣＨ2ＣＨ2)2−、Ｙ-が塩化物イオンである化合物
・化合物ｃ：一般式（２）のＲ6が平均炭素数１６のアルキル基、Ｙ-が塩化物イオンである化合物
・化合物ｄ：一般式（３）のＲ8、Ｒ9が平均炭素数１０のアルキル基、Ｒ10、Ｒ11がメチル基、Ｙ-が塩化物イオンである化合物
・陰イオン界面活性剤ｅ：炭素数１０〜１４の直鎖アルキルベンゼンスルホン酸（平均分子量３２３）
・陰イオン界面活性剤ｆ：平均炭素数１２の直鎖第１級アルコールにＥＯを１分子当たり平均４モル付加させたアルキルエーテル硫酸ナトリウム塩
・陰イオン界面活性剤ｇ：平均炭素数１２の分岐鎖第１級アルコールにＥＯを１分子当たり平均３モル付加させたアルキルエーテル硫酸ナトリウム塩
・陰イオン界面活性剤ｈ：平均炭素数１４の直鎖第１級アルキル硫酸ナトリウム塩
・陰イオン界面活性剤ｉ：平均炭素数１６の分岐鎖第１級アルキル硫酸マグネシウム塩
・化合物ｊ：ラウリルベタイン（アンヒトール２０ＢＳ／花王（株）製）
・化合物ｋ：ラウリルアミドプロピルベタイン（アンヒトール２０ＡＢ／花王（株）製）
・化合物ｌ：ラウリルカルボキシメチルヒドロキシエチルイミダゾリニウムベタイン（アンヒトール２０ＹＢ／花王（株）製）
・非イオン界面活性剤ｍ：炭素数１０〜１４の直鎖第１級アルコールにＥＯを平均５モル、ＰＯを平均２モル、ＥＯを平均３モルの順にブロック付加させたもの
・非イオン界面活性剤ｎ：炭素数１０〜１４の直鎖第１級アルコールにＥＯを平均１２モル付加させたもの
・非イオン界面活性剤ｏ：炭素数１０〜１４の直鎖第２級アルコールにＥＯを平均８モル付加させたもの
・非イオン界面活性剤ｐ：炭素数１０〜１４の直鎖第１級アルコールにＥＯを平均１０モル、ＰＯを平均２モルランダム付加させたもの
・脂肪酸：炭素数１２〜１４のヤシ油系脂肪酸・高分子化合物：無水マレイン酸ジイソブチレン共重合体（モル比５０／５０、平均分子量５０００）
・ポリエチレングリコールフェニルエーテル：ポリオキシエチレンモノフェニルエーテル（ＥＯ平均３モル付加）
・酵素：デュラザイム１６．０Ｌ（プロテアーゼ、ノボノルディスクバイオインダストリー株式会社製）
・蛍光染料：チノパールＣＢＳ−Ｘ（チバスペシャリティケミカルス社製）